(57)【要約】【解決手段】  オプション部品の追加および内扉の変更により、中仕切で区画された中貯蔵室をさらに上下の小さな区画（小貯蔵室）に区画することのできる低温貯蔵庫を提供すること。【構成】  前面に開口を有する断熱箱本体と、当該断熱箱本体に開閉自在に取り付けられる断熱扉と、前記開口を上下の中開口に区画する中仕切と、当該断熱扉と本体とで形成される貯蔵室を中仕切の位置で上下に区画する棚と、貯蔵室を冷却する冷却装置と、前記中開口をさらに上下に区画する金属製のオプション仕切体と、当該仕切体の前部に取り付けられオプションガスケットを支持する樹脂製の枠体と、仕切体で区画された各小開口をそれぞれ開閉自在に閉塞する複数の内扉とを備えたもの。【選択図】      図８     
2005147650.tif 000002
【特許請求の範囲】
【請求項１】
前面に開口を有する断熱箱本体と、当該断熱箱本体に開閉自在に取り付けられる断熱扉と、前記開口を上下の中開口に区画する中仕切と、当該断熱扉と本体とで形成される貯蔵室を中仕切の位置で上下に区画する棚と、貯蔵室を冷却する冷却装置とを備えた低温貯蔵庫において、前記中開口をさらに上下に区画する金属製のオプション仕切体と、当該仕切体の前部に取り付けられオプションガスケットを支持する樹脂製の枠体と、仕切体で区画された各小開口をそれぞれ開閉自在に閉塞する複数の内扉とを備えたことを特徴とする低温貯蔵庫。
【請求項２】
前記オプション仕切体は、断熱箱本体の内箱側面前部に取り付けられる支持金具と、両支持金具に支持され前記枠体を取り付ける断面コ字状の梁体とからなることを特徴とする請求項１に記載の低温貯蔵庫。
【請求項３】
前記梁体は、前記支持金具に載置して固定されることを特徴とする請求項２に記載の低温貯蔵庫。
【請求項４】
前記オプションガスケットは、前記上下の内扉の裏面周縁部に設けられたパッキンと当接することを特徴とする請求項１に記載の低温貯蔵庫。
【請求項５】
前記オプションガスケットは、前記パッキンと当接する部分よりも上側及び下側でそれぞれシールする上下のヒレ片を備えることを特徴とする請求項４に記載の低温貯蔵庫。
【請求項６】
前記内扉は、パッキンよりも内側で且つオプションガスケットに向けて伸びるヒレ状パッキンを備えることを特徴とする請求項４に記載の低温貯蔵庫。
【請求項７】
前記内扉は、外板と、内板と、両板を熱的に絶縁する樹脂製の扉枠と、これら外板、内板及び扉枠で囲まれた空間に配置する断熱材とからなり、扉枠には、前記パッキンを取り付ける第１の溝と、前記ヒレ状パッキンを取り付ける第２の溝を設けたことを特徴とする請求項６に記載の低温貯蔵庫。
【請求項８】
前面に開口を有する断熱箱本体と、当該断熱箱本体に開閉自在に取り付けられる断熱扉と、前記開口を上下の中開口に区画する中仕切と、当該断熱扉と本体とで形成される貯蔵室を中仕切の位置で上下に区画する棚と、貯蔵室をマイナス８０℃前後に冷却する冷却装置と、前記中開口をさらに上下に区画しその前部にオプションガスケットを支持する樹脂製の枠体を取り付けられた金属製のオプション仕切体とを備えた低温貯蔵庫において、ヒンジにて支持され前記仕切体で区画された各小開口をそれぞれ開閉自在に閉塞する複数の内扉と、前記断熱箱本体の内箱におけるヒンジが取り付けられない側の各小開口部分に設けられ鋳物製の軸部を有する軸金具と、前記内扉に回転自在に設けられ当該軸金具に係止する爪部を有する金属製のラッチとを備えたことを特徴とする低温貯蔵庫。
【請求項９】
前記爪部は、ステンレス層と鋳物層の二重構造としたことを特徴とする請求項８に記載の低温貯蔵庫。
【請求項１０】
前記軸部は円柱状に形成され、前記ラッチは爪部が軸部に係止されたときの回転力で内扉を閉塞方向に押し付けることを特徴とする請求項８に記載の低温貯蔵庫。
【請求項１１】
前記爪部の軸部との当接面の先端における回転半径と、末端における回転半径との寸法差により、内扉を閉塞方向に押し付けるように、爪部の長さを設定したことを特徴とする請求項１０に記載の低温貯蔵庫。
【請求項１２】
前面に開口を有する断熱箱本体と、当該断熱箱本体に開閉自在に取り付けられる単一の断熱扉と、前記開口を上下の中開口に区画する単一の中仕切と、当該断熱扉と本体とで形成される貯蔵室を中仕切の位置で上下に区画する棚と、貯蔵室をマイナス８０℃前後に冷却する冷却装置とを備えた低温冷蔵庫において、着脱自在に配置され前記中開口をさらに上下の小開口に区画する仕切体を設けない場合には、前記上下の中開口をそれぞれ開閉自在に閉塞する２つの第１の内扉を配設し、前記仕切体を配置する場合には、当該４つの小開口をそれぞれ開閉自在に閉塞する４つの第２の内扉を配設することを特徴とする低温冷蔵庫。
【請求項１３】
前記仕切体の前部に取り付けられガスケットを支持する樹脂製の枠体を備え、前記ガスケットは、前記第２の内扉の裏面周縁部に設けられたパッキンと当接し、且つ前記パッキンと当接する部分よりも上側及び下側でそれぞれシールする上下のヒレ片を備えることを特徴とする請求項１２に記載の低温貯蔵庫。
【請求項１４】
前記第２の内扉は、前記パッキンよりも内側で且つ前記ガスケットに向けて伸びるヒレ状パッキンを備えることを特徴とする請求項１３に記載の低温貯蔵庫。
【発明の詳細な説明】
【技術分野】
【０００１】
本発明は、高温側の冷凍回路における蒸発器と、低温側の冷凍回路における凝縮器とをカスケード接続させることにより、より低温度の貯蔵温度を実現する二元冷凍回路を備えた冷却装置により、−８０℃前後の超低温度域に冷却維持される貯蔵室がある低温貯蔵庫、特に、断熱箱の前面開口を上下に区画する中仕切に加えて、さらに間口を上下に区画する仕切体と、この仕切体に合わせて2枚もしくは4枚の内扉が選択できるようにするとともに、当該内扉のラッチ構造に関するものである。
【背景技術】
【０００２】
低温貯蔵庫は、−６０℃〜−９０℃程度の超低温度域を生成するために、二元冷凍回路が用いられており、高温側の冷凍回路の蒸発器と低温側の冷温回路の凝縮器とをカスケード接続することにより構成したものがある。この低温貯蔵庫は、その温度帯をとらえて、別名、超低温フリーザと呼ばれることがある。また、貯蔵対象をより効率的に収納するため、複数の棚により貯蔵室内を上下に区画している。この複数に区画された貯蔵室を一枚の扉で開閉操作すると、扉の開閉操作に伴い貯蔵室内全体に外気が進入することから、出し入れしたい対象物に無関係な棚に対応する中貯蔵室にも外気が進入してしまう。これを回避すべく、中貯蔵室に対応させて複数の中扉を配置してきた。この場合、断熱箱の前面開口は、中仕切により上下に２つに区画され、上下に中扉を配置する。この中貯蔵室が、棚により更に上下の小貯蔵室に区画される場合がある。
【０００３】
例えば、特許文献１に示されるように、冷蔵庫の貯蔵室を仕切部で区画し、この仕切部の前面部分に仕切前枠を配置し、この仕切前枠と仕切部とで形成される空間にも、発泡断熱材を充填させるようにしたものがある。通常、仕切部で上下に区画された貯蔵室はそれぞれ断熱扉により開閉自在に閉塞される。各扉の内面周縁部分には、磁石付きのガスケットが設けられ、このガスケットは、断熱箱の開口縁および仕切前枠の前面に配置された金属製のカバーに対して、密着し各貯蔵室内への外気侵入を防止する。また、例えば、特許文献２に示されるように、貯蔵室の前面開口を一枚の断熱扉で開閉自在に閉塞する一方、この断熱扉の内側に、上下に複数の樹脂製の内扉を開閉自在に配置する保冷庫がある。特にこの内扉は、ラッチ機構によって、機械的に開口を閉塞するようにしている。
【特許文献１】特開平６−１２９７６０号公報
【特許文献２】特開平２００１−１８３０５２号公報  特許文献１に示すような家庭用の冷蔵庫にあっては、オプション部品の追加および内扉の変更により、中仕切で区画された中貯蔵室をさらに上下の小さな区画（小貯蔵室）に区画することはない。業務用の冷凍庫等の低温貯蔵庫にあっては、通常家庭用貯蔵庫に比べてその内容積が大型化することから、使用者（所謂顧客）の要望に応じて、いつでもオプション部品を追加することができるようにしておくことが望ましい。また、特許文献２に示される保冷庫にあっては、ラッチ機構の詳細構造について不明であるが、その図面から判断して、ラッチ機構の回転操作により断熱性の内扉を梃子の原理を利用して強制的に貯蔵室内へ押し込み、開口を内扉にて強固に確実に閉塞するようにしている。しかし、−６０℃〜−９０℃程度の超低温度域で使用される超低温貯蔵庫にあっては、内扉の開閉操作で進入した外気が急激に冷やされることから、その出入り口付近、特にラッチ機構が設けられる内扉の非軸支持側における庫内壁面への霜付き現象が顕著になりやすい。また、長期保存により、この霜付き現象で次第にその厚さおよび硬さが成長するため、この成長した霜がラッチ機構のラッチ動作を妨げるようになる。即ち、霜付き現象の当初であれば、多少無理矢理にでも梃子の原理で内扉を押し込むこともできるが、長期使用の間にはとても内扉を閉塞できないような厚さにまで成長することも予想される。そのような場合には、かなり強い力でラッチ機構を操作することとなり、ラッチ機構における強度（耐荷重）以上の応力の作用でラッチ機構の一部（特に強度不足の部分）が変形して、それ以降正常に動作しなくなる不具合があった。
【発明の開示】
【発明が解決しようとする課題】
【０００４】
本発明は、このような低温貯蔵庫にあって、オプション部品の追加および削除並びにそれに合わせた内扉の変更により、中仕切で区画された中貯蔵室をさらに上下の小さな区画（小貯蔵室）に区画することのできる低温貯蔵庫を提供することを目的とする。また、これに加えて、本発明は、ラッチ機構における係止部の強度アップと次第に成長する霜付き状況に対する使用可能範囲の拡大の図れるようにした低温貯蔵庫を提供することを目的とするものである。
【課題を解決するための手段】
【０００５】
請求項１の発明の低温貯蔵庫（１）は、前面に開口（２Ａ）を有する断熱箱本体（２）と、当該断熱箱本体に開閉自在に取り付けられる断熱扉（４）と、前記開口を上下の中開口（１２）に区画する中仕切（１６）と、当該断熱扉と本体とで形成される貯蔵室を中仕切の位置で上下に区画する棚（１１）と、貯蔵室（５）を冷却する冷却装置とを備えた低温貯蔵庫において、前記中開口（１２）をさらに上下に区画する金属製のオプション仕切体（１７）と、当該仕切体（１７）の前部に取り付けられオプションガスケット（３５）を支持する樹脂製の枠体（３１）と、仕切体（１７）で区画された各小開口（１４）をそれぞれ開閉自在に閉塞する複数の内扉（１５）とを備えたものである。
【０００６】
請求項２の発明の低温貯蔵庫（１）は、オプション仕切体（１７）の本体（２１）は、断熱箱本体の内箱側面前部に取り付けられる支持金具（２２）と、両支持金具（２２，２２）に支持され前記枠体（３１）を取り付ける断面コ字状の梁体（２１）とからなるものである。
【０００７】
請求項３の発明の低温貯蔵庫（１）は、梁体（２３）は、支持金具（２２，２２）に載置して固定されるものである。
【０００８】
請求項４の発明の低温貯蔵庫（１）は、オプションガスケット（３５）は、上下の内扉（１５，１５）の裏面周縁部に設けられたパッキン（４８）と当接するものである。
【０００９】
請求項５の発明の低温貯蔵庫（１）は、オプションガスケット（３５）は、パッキン（４８）と当接する部分よりも上側及び下側でそれぞれシールする上下のヒレ片（３８，３９）を備えるものである。
【００１０】
請求項６の発明の低温貯蔵庫（１）は、内扉（１５）は、パッキン（４８）よりも内側で且つオプションガスケット（３５）に向けて伸びるヒレ状パッキン（４９）を備えるものである。
【００１１】
請求項７の発明の低温貯蔵庫（１）は、内扉（１５）は、外板（４１）と、内板（４２）と、両板を熱的に絶縁する樹脂製の扉枠（４３）と、これら外板、内板及び扉枠で囲まれた空間に配置する断熱材（４４）とからなり、扉枠（４３）には、前記パッキン（４８）を取り付ける第１の溝（４５）と、前記ヒレ状パッキン（４９）を取り付ける第２の溝（４６）を設けたものである。
【００１２】
請求項８の発明の低温貯蔵庫（１）は、前面に開口を有する断熱箱本体（２）と、当該断熱箱本体に開閉自在に取り付けられる断熱扉（４と、前記開口を上下の中開口（１２，１２）に区画する中仕切（１６）と、当該断熱扉と本体とで形成される貯蔵室（５）を中仕切（１６）の位置で上下に区画する棚（１１）と、貯蔵室をマイナス８０℃前後に冷却する冷却装置と、前記中開口（１２，１２）をさらに上下に区画しその前部にオプションガスケット（３５）を支持する樹脂製の枠体（３１）が取り付けられた金属製のオプション仕切体（１７）の本体（２１）とを備えた低温貯蔵庫において、ヒンジにて支持され前記仕切体（１７）で区画された各小開口（１４をそれぞれ開閉自在に閉塞する複数の内扉（１５）と、前記断熱箱本体の内箱におけるヒンジが取り付けられない側の各小開口（１４）部分に設けられ鋳物製の軸部（６８）を有する軸金具（６５）と、内扉に回転自在に設けられ当該軸金具（６５）に係止する爪部（６０）を有する金属製のラッチ（５０）とを備えたものである。
【００１３】
請求項９の発明の低温貯蔵庫（１）は、爪部（６０）は、ステンレス層（６２）と鋳物層（６３）の二重構造としたものである。
【００１４】
請求項１０の発明の低温貯蔵庫（１）は、軸部（６８）は円柱状に形成され、ラッチ（５０）は爪部（６０）が軸部（６６）に係止されたときの回転力で内扉（１５）を閉塞方向に押し付けるものである。
【００１５】
請求項１１の発明の低温貯蔵庫（１）は、爪部（６０）の軸部（６８）との当接面の先端における回転半径（Ｒ1）と、末端における回転半径（Ｒ2）との寸法差により、内扉（１５）を閉塞方向に押し付けるように、爪部の長さ（Ｔ）を設定したものである。
【００１６】
請求項１２の発明の低温貯蔵庫（１）は、前面に開口（２Ａ）を有する断熱箱本体（２）と、当該断熱箱本体に開閉自在に取り付けられる単一の断熱扉（４）と、前記開口を上下の中開口（１２）に区画する単一の中仕切（１６）と、当該断熱扉と本体とで形成される貯蔵室を中仕切（１６）の位置で上下に区画する棚（１１）と、貯蔵室をマイナス８０℃前後に冷却する冷却装置とを備えた低温冷蔵庫において、着脱自在に配置され前記中開口（１２）をさらに上下の小開口（１４）に区画する仕切体（１７）を設けない場合には、前記上下の中開口（１２）をそれぞれ開閉自在に閉塞する２つの第１の内扉（１３）を配設し、前記仕切体（１７）を配置する場合には、当該４つの小開口（１４）をそれぞれ開閉自在に閉塞する４つの第２の内扉（１５）を配設するものである。
【００１７】
請求項１３の発明の低温貯蔵庫（１）は、前記仕切体（１７）の前部に取り付けられガスケット（３５）を支持する樹脂製の枠体（３１）を備え、前記ガスケット（３５）は、前記第２の内扉（１５）の裏面周縁部に設けられたパッキン（４８）と当接し、且つ前記パッキンと当接する部分よりも上側及び下側でそれぞれシールする上下のヒレ片（３８，３９）を備えるものである。
【００１８】
請求項１４の発明の低温貯蔵庫（１）は、前記第２の内扉（１５）は、前記パッキン（４８）よりも内側で且つ前記ガスケット（３５）に向けて伸びるヒレ状パッキン（４９）を備えるものである。
【発明の効果】
【００１９】
以上詳述した如く請求項１の発明によれば、金属製のオプション仕切体（１７）により中開口（１２）をさらに上下の小開口（１４）に区画することができ、当該仕切体（１７）の本体（２１）の前部に取り付けられた樹脂製の枠体（３１）によりオプションガスケット（３５）を支持することができ、当該仕切体（１７）等のオプション部品で新たに区画された各小開口（１４）を複数の内扉（１５）によりそれぞれ開閉自在に閉塞することができ、使用者の要望に応じた低温貯蔵庫を提供できる。
【００２０】
以上詳述した如く請求項２の発明によれば、断熱箱本体の内箱側面前部に取り付けられる支持金具（２２，２２）と、両支持金具（２２，２２）に支持されオプションガスケット（３５）を支持する枠体（３１）を取り付ける断面コ字状の梁体（２３）とからオプション仕切体（１７）の本体（２１）を構成したことにより、仕切体（１７）としての強度を確保する一方、その上下方向の高さを抑制することができ、貯蔵室５の有効容積の確保ができる。
【００２１】
以上詳述した如く請求項３の発明によれば、オプション仕切体（１７）の梁体（２３）は、支持金具（２２，２２）に載置して固定されるため、オプション部品の取付操作を容易且つ簡単に行うことができ、その作業性が向上する。
【００２２】
以上詳述した如く請求項４の発明によれば、上下の内扉（１５）の裏面周縁部に設けられたパッキン（４８）と当接するオプションガスケット（３５）により、内扉（１５）の閉塞時の衝撃を吸収する一方、そのシールを良好に行うことが可能となる。
【００２３】
以上詳述した如く請求項５の発明によれば、オプションガスケット（３５）に設けたパッキン（４８）と当接する部分よりも上側及び下側でそれぞれパッキン（４８）に当接してシールする上下のヒレ片（３８，３９）により、より確実にガスケット（３５）とパッキン（４８）との接触関係を築き、シール性を向上することができる。
【００２４】
以上詳述した如く請求項６の発明によれば、内扉（１５）に設けたパッキン（４８）よりも内側で且つオプションガスケット（３５）に向けて伸びるヒレ状パッキン（４９）により、パッキン（４８）、ガスケット（３５）およびヒレ状パッキン（４９）ある空間Ｋを形成することができ、この空間Ｋ内の空気層にて、外気進入を食い止めることが可能となり、シール性能が著しく向上する。
【００２５】
以上詳述した如く請求項７の発明によれば、内扉（１５）が、外板（４１）と、内板（４２）と、両板を熱的に絶縁する樹脂製の扉枠（４３）と、これら外板、内板及び扉枠で囲まれた空間に配置する断熱材（４４）とからなるので、各小貯蔵室の開口を熱的に断熱することができ、しかも扉枠（４３）には、パッキン（４８）を取り付ける第１の溝（４５）と、ヒレ状パッキン（４９）を取り付ける第２の溝（４６）とを設けたため、二重のシールを実現することができ、その断熱性能がより向上する。
【００２６】
以上詳述した如く請求項８の発明によれば、断熱箱本体の内箱におけるヒンジが取り付けられない側の各小開口部分に設けられ鋳物製の軸部（６８）を有する軸金具（６５）と、ヒンジにて支持されオプション仕切体（１７）で区画された各小開口（１４）をそれぞれ開閉自在に閉塞する複数の内扉（１５）に回転自在に設けられ当該軸金具（６５）に係止する爪部（６０）を有する金属製のラッチ（５０）とにより、爪部（６０）が軸部（６８）に係止された状態でラッチに回転力を加えれば、両部の梃子の原理で内扉（１５）を強制的に後方へ押し付けることのできる内扉（１５）のラッチ装置を構成することができる。
【００２７】
以上詳述した如く請求項９の発明によれば、爪部（６０）を、ステンレス層（６２）と鋳物層（６３）との二重構造としたことにより、その強度を向上すると共に、その長さおよび厚さ方向の距離を増加することが可能である。
【００２８】
以上詳述した如く請求項１０の発明によれば、軸部（６８）は円柱状に形成されるため、板状の切起し（８０）に比べてその強度が向上する。また、ラッチ（５０）はその爪部（６０）が軸金具（６５）の軸部（６８）に係止されたときの回転力を梃子の原理を利用して内扉（１５）を閉塞方向に押し付ける力に変化させることができる。
【００２９】
以上詳述した如く請求項１１の発明によれば、爪部（６０）の軸部（６８）との当接面の先端における回転半径（Ｒ1）と、末端における回転半径（Ｒ2）との寸法差により、内扉（１５）を閉塞方向に押し付けるように、爪部の長さ（Ｔ）を設定したため、軸部（６８）に対するラッチ（５０）の回転モーメントを大きくすることが可能であり、より小さな力でもラッチ（５０）をラッチ状態にすることが可能となり、ラッチ装置（２０）としての使用性が向上する。
【００３０】
以上詳述した如く請求項１２の発明によれば、中開口（１２）を仕切体（１７）でさらに上下に区画する場合と区画しない場合の両方のタイプを選択することができ、仕切体（１７）の選択・非選択に基づき第１の内扉（１３）か第２の内扉（１５）をセットで選択可能となり、低温冷蔵庫の使用者の必要に応じた区画体系を実現することが可能となり、汎用性が増す（選択幅が大きくなる）。
【００３１】
以上詳述した如く請求項１３の発明によれば、第２の内扉（１５）の裏面周縁部に設けられたパッキン（４８）と当接するガスケット（３５）により、第２の内扉（１５）の閉塞時の衝撃を吸収する一方、そのシールを良好に行うことが可能となり、ガスケット（３５）に設けたパッキンと当接する部分よりも上側及び下側でそれぞれパッキン（４８）に当接してシールする上下のヒレ片（３８，３９）により、より確実にガスケット（３５）とパッキン（４８）との接触関係を築き、第２の内扉（１５）と仕切体（１７）とのシール性を向上することができる。
【００３２】
以上詳述した如く請求項１４の発明によれば、第２の内扉（１５）に設けたパッキン（４８）よりも内側で且つオプションガスケット（３５）に向けて伸びるヒレ状パッキン（４９）により、パッキン（４８）、ガスケット（３５）およびヒレ状パッキン（４９）にてある空間Ｋを形成することができ、この空間Ｋ内の空気層により、第２の内扉（１５）の外側からの外気進入を食い止めることが可能となり、第２の内扉（１５）と仕切体（１７）とのシール性能が著しく向上する。
【発明を実施するための最良の形態】
【００３３】
以下、図面に基づき本発明の実施例を詳述する。図１は本発明の低温貯蔵庫の正面図、図２は低温貯蔵庫の外扉（断熱扉）を開放し２枚式の内扉（第１の内扉）を閉塞した状態の斜視図、図３は低温貯蔵庫の外扉（断熱扉）を開放し４枚式の内扉（第２の内扉）を閉塞した状態の斜視図、図４は低温貯蔵庫の外扉（断熱扉）および４枚式の内扉（第２の内扉）を開放した状態の斜視図、図５はオプション仕切体、前枠およびオプションガスケットの分解斜視図、図６はオプション仕切体、前枠およびオプションガスケットの組み付け状態斜視図、図７は従来と本発明における内扉の扉枠を比較する断面図、図８は内扉とオプション部品との関係を示す断面図、図９はラッチ装置の開放状態をにおける斜視図、図１０はラッチ装置の閉塞状態を説明する斜視図、図１１は従来と本発明のラッチ装置を比較する側面図、図１２は従来と本発明のラッチ装置を比較する正面図である。
【００３４】
本発明の低温貯蔵庫（超低温フリーザ）は、図１乃至図４に示されるように、前面に開口２Ａを有する断熱箱本体２と、当該断熱箱本体２に複数（本実施例では３個）のヒンジ３により開閉自在に取り付けられ開口２Ａを閉塞する外扉としての右開き式の断熱扉４と、当該扉４と本体２とで形成される貯蔵室５と、この貯蔵室５の下方に位置し貯蔵室５を冷却する冷却装置（図示せず）や電装箱９等の電気・機械部品を収納する機械室６とを備える。この機械室６は、その前面をフロントパネル７により開閉自在に覆われ、フロントパネル７には、その後方に配置される空気案内ダクト、塵埃回収用のフィルタ、凝縮器等（図示せず）に対する吸い込み口カバーとしてのグリル８が取り付けられる。
【００３５】
図２乃至図４において、貯蔵室５は、複数（本実施例では３枚）の棚１１により上下の複数（本実施例では４個）の区画に区画されている。これらの各区画（以下、小貯蔵室という）に対応する間口部１２はそれぞれ断熱性の内扉によりやはり開閉自在に閉塞されるが、図２においては、これら４つの小貯蔵室を、上下２つの小貯蔵室からなる中貯蔵室２つに分けて、この中貯蔵室に対応する中開口１２を第１の内扉としての２枚の内扉１３にて閉塞するようにした例を示している。また、図３においては、４つの貯蔵室に対応する小開口１４を第２の内扉としての４枚の内扉１５にてそれぞれ閉塞するようにした例を示している。
【００３６】
何れの内扉１３，１５においても、ヒンジが取り付けられない側の各小開口１４に設けられ鋳物製の軸部６８を有する軸金具６５と、内扉に対して回転自在且つ摺動可能に設けられ軸金具６５の軸部６８に係止する爪部６０を有した金属製のラッチ５０とからなるラッチ装置２０がある。
【００３７】
１６は、前面開口２Ａを棚１１に対応する位置にて上下２つに区画する中仕切であり、１７はこの中仕切１６で上下に区画された中開口１２を棚１１に対応する位置にて更に上下に２つに区画して４つの小開口１４を形成するための仕切体としてのオプション仕切体である。１８は、断熱扉４の非軸支持側に設けられる把手１０に対応して設けられる扉閉塞機構である。
【実施例１】
【００３８】
本発明の第一の実施形態におけるオプション仕切体１７を図５乃至図８に基づき簡単に説明する。
【００３９】
まず、オプション仕切体１７は、ステンレス鋼等金属製の本体２１と、この本体２１の前部にネジ３３等で取り付けられる樹脂製の枠体３１と、この枠体３１の前面に支持されるガスケットとしての樹脂製のオプションガスケット３５とからなる。
【００４０】
本体２１は、断熱箱本体２の内箱における側面前部に形成した取付孔（図示せず）に取り付けられる左右一対の支持金具２２，２２と、これら両支持金具２２，２２に懸架するかたちで支持されてオプションガスケット３５の矢尻部３７を嵌め込む溝部３２を有する断面コ字状の梁体２３とからなる。支持金具２２は左右対称に形成されており、上面に位置決め穴２６を有する断面コ字状の載置部２５と、この載置部２５に連続し内箱における側面前部に取り付けられる取付穴２８を有する２つの固定部２７とからなる。梁体２３の左右両端には化粧ビス３０のための切欠き２９を形成している。
【００４１】
さて、この本体２１の取付操作について簡単に説明すると、内箱左右両側面に形成した取付孔（図示せず）にそれぞれ固定部２７をネジ等で固定して支持金具を取り付ける。その左右を嵌め込むようにして梁体２３を上方からこの左右の支持金具２２，２２の載置部２５に載せて支持する。後は左右の位置決めをした状態で、化粧ビス３０により締め付け固定すれば良い。
【００４２】
オプションガスケット３５は、内扉１５の裏面周縁部に設けられたパッキン４８と当接する内部中空の基部３６と、この基部３６の後部に設けられ枠体３１の溝部３２に挿入される矢尻部３５と、基部３６の上部および下部に設けられ内扉１５のパッキン４８と当接する部分よりも上側及び下側でそれぞれパッキン４８に当接してシールする上下のヒレ片３８，３９とを備える。
【００４３】
内扉１５は、その断熱性を考慮して、外板４１と、内板４２と、両板４１，４２を熱的に絶縁する樹脂製の扉枠４３と、これら外板４１、内板４２及び扉枠４３で囲まれた空間に配置される発泡スチロールや繊維状のスラブ材等の断熱材４４とで構成されている。断熱材としては、当該空間内に発泡断熱材を充填するようにしても良い。扉枠４３は、その前部が外板４１に取り付けられ、その後部に内板４２を取り付ける。このため、各小貯蔵室の開口１４を閉塞することで、各小貯蔵室の前面を熱的に断熱することができる。
【００４４】
しかも扉枠４３には、パッキン４８を取り付ける第１の溝４５と、ヒレ状パッキン４９を取り付ける第２の溝４６とを設けているため、パッキン４８とオプションガスケット３５との当接関係により第１のシールを行う。さらに、内扉１５に設けたパッキン４８よりも内側で且つオプションガスケット３５に向けて伸びるヒレ状パッキン４９により、パッキン４８、ガスケット３５およびヒレ状パッキン４９で囲まれる空間Ｋを形成することができ、この空間Ｋ内の空気層にて、外気進入を食い止める第２のシールを行う。即ち、第１および第２のシールにより、二重のシールを実現することができ、その断熱性能がより向上する。
【００４５】
本発明の第一の実施形態におけるオプション仕切体１７を設けて第２の内扉１５を配設すれば、金属製のオプション仕切体１７により中開口１２をさらに上下の小開口１４に区画することができ、仕切体１７の本体２１の前部に取り付けられた樹脂製の枠体３１によりオプションガスケット３５を支持することができ、当該仕切体１７等のオプション部品で新たに区画された各小開口１４を第２の内扉１５によりそれぞれ開閉自在に閉塞することができ、使用者の要望に応じた小開口方式の低温貯蔵庫を提供できる。
【００４６】
仕切体１７を配設せず第１の内扉１３を設ければ、中開口方式の内扉に合わせた貯蔵庫を提供できることに加え、小開口方式に比して、庫内の温度分布を均一化でき、冷却性能が向上する。即ち、庫内の温度差が、小開口方式では５．２℃であったものが、中開口方式では３．６℃に向上し、庫内の制御（到達）温度が、小開口方式では−８７．３℃であったものが、中開口方式では−８７．９℃と若干ではあるが向上している。しかも、間口が大きいので、大きい物の出し入れが行い易くなるという別の利点もある。
【００４７】
断熱箱本体の内箱側面前部に取り付けられる支持金具２２，２２と、両支持金具２２，２２に支持されオプションガスケット３５を支持する枠体３１を取り付ける断面コ字状の梁体２３とからオプション仕切体１７の本体２１を構成したことにより、仕切体１７としての強度を確保する一方、その上下方向の高さを抑制することができ、貯蔵室５の有効容積の確保ができる。
【００４８】
オプション仕切体１７の梁体２３は、支持金具２２，２２に載置して固定されるため、オプション部品の取付操作を容易且つ簡単に行うことができ、その作業性が向上する。
【００４９】
上下の内扉１５の裏面周縁部に設けられたパッキン４８と当接するオプションガスケット３５により、内扉１５の閉塞時の衝撃を吸収する一方、そのシールを良好に行うことが可能となる。また、オプションガスケット３５に設けたパッキン４８と当接する部分よりも上側及び下側でそれぞれパッキン４８に当接してシールする上下のヒレ片３８，３９により、より確実にガスケット３５とパッキン４８との接触関係を築き、シール性を向上することができる。さらに、内扉１５に設けたパッキン４８よりも内側で且つオプションガスケット３５に向けて伸びるヒレ状パッキン４９により、パッキン４８、ガスケット３５およびヒレ状パッキン４９で囲まれる空間Ｋを形成することができ、この空間Ｋ内の空気層にて、外気進入を食い止めることが可能となり、シール性能が著しく向上する。
【００５０】
内扉１５が、外板４１と、内板４２と、両板を熱的に絶縁する樹脂製の扉枠４３と、これら外板、内板及び扉枠で囲まれた空間に配置する断熱材４４とからなるので、各小貯蔵室の開口１４を熱的に断熱することができ、しかも扉枠４３には、パッキン４８を取り付ける第１の溝４５と、ヒレ状パッキン４９を取り付ける第２の溝４６とを設けたため、パッキン４８とオプションガスケット３５並びにヒレ状パッキン４９により二重のシール構造を実現することができ、内扉としての断熱性能がより向上する。
【実施例２】
【００５１】
本発明の第二の実施形態におけるラッチ装置２０を図９乃至図１２に基づき説明する。ラッチ装置２０は、内扉１５の側面におけるヒンジが設けられない側（即ち非軸支持側）に回転自在に設けられ軸金具６５に係止する爪部６０を有する金属製のラッチ５０と、断熱箱本体２の内箱におけるヒンジが取り付けられない側の各小開口１４部分に設けられ鋳物製の軸部６８を有するステンレス鋼製の軸金具６５とで構成される。
【００５２】
ラッチ５０は、内扉１５の非軸支持側に位置する側面に取り付けられるステンレス鋼等金属製の固定版５１と、この固定板５１に回動自在に支持されるステンレス鋼等金属製の操作体５６とからなり、固定板５１は枢支用の軸５２と、軸５２を保護する保護環５３と、固定穴５４とを有する。操作体５６は、取手５７と、軸５２に枢支される腕部５９を有する操作幹５８とからなる。この操作幹５８には、後述する軸金具６５に係止する爪部６０と、ラッチ５０の使用時（即ち内扉１５の閉塞時）に固定板５１の固定穴５４と同じ位置になるように形成される窓６１がある。爪部６０は、操作幹５８に形成した爪状のステンレス層と６２、当該爪状の部分に鋳られる鋳物層６３との二重構造としている。
【００５３】
軸金具６５は、断熱箱本体２の内箱開口縁におけるヒンジが設けられない側（即ち非軸支持側）に固定される固定穴６７および円柱状に形成される鋳物製の軸部６８を有する取付部６６を備える。
【００５４】
ラッチ装置２０のラッチ操作について簡単に説明する。まず、内扉１５を所望の位置まで閉塞する。この状態の内扉において、ラッチ５０を固定板５１と７０度程度の角度を為すような位置まで手前に回転させる。そして、軸５２を中心に取手５７をその爪部６０の先端が軸金具６５の軸部６８に接する状態になるまで後方に押し回す。この状態から、所謂内扉１５のラッチ操作が開始される。即ち、爪部６０の内側に形成した湾曲面に沿ってさらに取手５７を後方へ押し回すと、この軸部６８の表面が湾曲面を移動するかのように梃子の原理で回転力を発生し、ラッチ装置２０の軸５２が軸部６８に近づくように内扉ごと後方へ（即ち内扉１５の閉塞方向に）押し付けることとなって、内扉１５を閉塞状態に強固に保持する。
【００５５】
本発明の第二の実施形態におけるラッチ装置２０によれば、断熱箱本体の内箱におけるヒンジが取り付けられない側の各小開口部分に設けられ鋳物製の軸部６８を有する軸金具６５と、ヒンジにて支持されオプション仕切体１７で区画された各小開口をそれぞれ開閉自在に閉塞する複数の内扉１５に回転自在且つ摺動可能に設けられ当該軸金具６５に係止する爪部６０を有する金属製のラッチ５０とにより、爪部６０が軸部６８に係止された状態でラッチ５０に回転力を加えれば、両部６０，６８による梃子の原理でより強固な回転力を生じせしめ、この回転力により内扉１５を強制的に後方へ押し付けることができる。
【００５６】
また、爪部６０を、ステンレス層６２と鋳物層６３との二重構造としたことにより、ラッチ５０としての強度を向上すると共に、その長さおよび厚さ方向の距離を増加することが可能である。さらに、軸部６８は円柱状に形成されるため、板状の切起し８０に比べてその強度が向上する。そしてラッチ５０は、その爪部６０が軸金具６５の軸部６８に係止されたときの回転力を梃子の原理を利用して内扉１５を閉塞方向に押し付ける力に変化させることができる。最後に、爪部６０の軸部６８との当接面の先端における回転半径Ｒ1と、末端における回転半径Ｒ2との寸法差により、内扉１５を閉塞方向に押し付けるように、爪部の長さＴを設定したため、軸部６８に対するラッチ５０の回転モーメントを大きくすることが可能であり、より小さな力でもラッチ５０をラッチ状態にすることが可能となり、ラッチ装置としての使用性が向上する。
【図面の簡単な説明】
【００５７】
【図１】本発明の低温貯蔵庫の正面図である。
【図２】本発明の低温貯蔵庫の外扉（断熱扉）を開放し２枚式の内扉（第１の内扉）を閉塞した状態の斜視図である。
【図３】本発明の低温貯蔵庫の外扉（断熱扉）を開放し４枚式の内扉（第２の内扉）を閉塞した状態の斜視図である。
【図４】本発明の低温貯蔵庫の外扉（断熱扉）および４枚式の内扉（第２の内扉）を開放した状態の斜視図である。
【図５】本発明の第１実施例を示すオプション仕切体、前枠およびオプションガスケットの分解斜視図である。
【図６】本発明のオプション仕切体、前枠およびオプションガスケットの組み付け状態斜視図である。
【図７】本発明の従来と本発明における内扉の扉枠を比較する断面図である。
【図８】本発明の内扉とオプション部品との関係を示す断面図である。
【図９】本発明の第２実施例を示すラッチ装置の開放状態を説明する斜視図である。
【図１０】本発明のラッチ装置の閉塞状態をにおける斜視図である。
【図１１】本発明の従来と本発明のラッチ装置を比較する側面図である。
【図１２】本発明の従来と本発明のラッチ装置を比較する正面図である。
【符号の説明】
【００５８】
１  低温貯蔵庫（超低温フリーザ）
２  断熱箱本体
２Ａ  前面開口（大開口）
３  ヒンジ
４  断熱扉
５  貯蔵室
１１  棚
１２  中開口
１３  第１の内扉（２枚式）
１４  小開口
１５  第２の内扉（４枚式）
１６  中仕切
１７  オプション仕切体
２０  ラッチ装置
２１  本体
２２  支持金具
２３  梁体
２５  載置部
３１  枠体
３２  溝部
３５  オプションガスケット
３６  基部（当接部）
３８，３９  ヒレ部
４１  外板
４２  内板
４３  扉枠
４４  断熱材
５０  ラッチ
５２  軸
６０  爪部
６２  ステンレス層
６３  鋳物層
６５  軸金具
６８  軸部
【図１】
2005147650.tif 000003
【図２】
2005147650.tif 000004
【図３】
2005147650.tif 000005
【図４】
2005147650.tif 000006
【図５】
2005147650.tif 000007
【図６】
2005147650.tif 000008
【図７】
2005147650.tif 000009
【図８】
2005147650.tif 000010
【図９】
2005147650.tif 000011
【図１０】
2005147650.tif 000012
【図１１】
2005147650.tif 000013
【図１２】
2005147650.tif 000014